(57)【要約】【課題】頭皮に対して様々な方向から刺激を与えることが可能で、しかも高い周波数で振動させることも可能として、多様な効果が得られるようにした振動ヘアブラシを提供する。【解決手段】把持部の先端側から延びる支持板の一方の面に多数のピン体を備えるヘアブラシにおいて、前記支持板の他方の面に固定され、１００Ｈｚよりも高くかつ２０ｋＨｚ以下の周波数で前記支持板を振動させる振動部と、前記振動部の振動数及び振動モードを制御して前記振動部を駆動させる振動制御部と、前記振動モードを含む振動数情報を保持するメモリ部と、を有する。【選択図】図２
2013188250.tif 000002
【特許請求の範囲】
【請求項１】
把持部の先端側から延びる支持板の一方の面に多数のピン体を備えるヘアブラシにおいて、
前記支持板の他方の面に固定され、１００Ｈｚよりも高くかつ２０ｋＨｚ以下の周波数で前記支持板を振動させる振動部と、
前記振動部の振動数及び振動モードを制御して前記振動部を駆動させる振動制御部と、
前記振動モードを含む振動数情報を保持するメモリ部と、
を有することを特徴とする振動ヘアブラシ。
【請求項２】
前記振動部が、前記支持板の面方向の中心を回転軸として、前記支持板の面方向に直交する方向に振動させることを特徴とする請求項１記載の振動ヘアブラシ。
【請求項３】
前記振動部が、前記支持板の面方向に沿って前記支持板を振動させることを特徴とする請求項１または２に記載の振動ヘアブラシ。
【請求項４】
前記ピン体の長手方向に前記支持板を振動させる超音波振動子をさらに備えることを特徴とする請求項１ないし３のいずれか１項に記載の振動ヘアブラシ。
【請求項５】
前記振動部による前記支持板の振動方向を切り替えるための振動方向切り替え手段を更に備えることを特徴とする請求項１ないし４のいずれか１項に記載の振動ヘアブラシ。
【請求項６】
前記振動部による前記支持板の振動の振幅を可変する振幅可変部を更に備えること
を特徴とする請求項１ないし５のいずれか１項に記載の振動ヘアブラシ。
【請求項７】
前記多数のピン体が使用者の肌面へ接触したか否かを検知する検知手段を更に備え、
前記振動制御部は、前記検知手段によって、前記多数のピン体が肌面へ接触したことが検知された場合に前記振動部を駆動させること
を特徴とする請求項１ないし６のいずれか１項に記載の振動ヘアブラシ。
【請求項８】
防水構造であることを特徴とする請求項１ないし７のいずれか１項に記載の振動ヘアブラシ。
【請求項９】
前記振動部を駆動させるための蓄電手段を備えることを特徴とする請求項１ないし８いずれか１項に記載の振動ヘアブラシ。
【発明の詳細な説明】
【技術分野】
【０００１】
本発明の実施形態は、ブラッシングを行いつつ振動によって頭皮に刺激を与える振動ヘアブラシに関する。
【背景技術】
【０００２】
従来、ブラシが植設された筐体の内部に振動モータを配置し、振動モータを用いてブラシ部分を振動させることで、ブラッシングの際に頭皮を刺激して血流を促進し育毛処理を施す振動ヘアブラシが知られている（例えば、特許文献１参照）。
【先行技術文献】
【特許文献】
【０００３】
【特許文献１】特開２００５−４６１９０号公報
【発明の概要】
【発明が解決しようとする課題】
【０００４】
上記したような振動モータは、電気モータの回転軸にウェイトが偏心状態で固定されたもので、電気モータを駆動させると偏心したウェイトによって回転軸の径方向に不釣合いな遠心力が発生する。この遠心力は回転軸の回転周期に対応してヘアブラシのブラシ部分に周期的に作用し、これが頭皮に対して振動として伝達される。
従来の振動モータでは、振動の周波数が電気モータの回転数により定まるが、ウェイトの質量が大きいため、振動の周波数を大きくすることが難しく（例えば、従来では８０〜１００Ｈｚのものが多い）、その効果も限定的なものとなっていた。
本発明は、このような事情を考慮してなされたものであり、頭皮に対して様々な方向から刺激を与えることが可能で、しかも高い周波数で振動させることも可能として、多様な効果が得られるようにした振動ヘアブラシを提供することを目的とする。
【課題を解決するための手段】
【０００５】
実施形態の振動ヘアブラシは、把持部の先端側から延びる支持板の一方の面に多数のピン体を備えるヘアブラシにおいて、前記支持板の他方の面に固定され、１００Ｈｚよりも高くかつ２０ｋＨｚ以下の周波数で前記支持板を振動させる振動部と、前記振動部の振動数及び振動モードを制御して前記振動部を駆動させる振動制御部と、前記振動モードを含む振動数情報を保持するメモリ部とを有する。
【０００６】
実施例にかかる振動ヘアブラシでは、振動部は、支持板の面方向の中心を回転軸として、支持板の面方向に直交する方向に振動させることができる。振動部は、支持板の面方向に沿って支持板を振動させることもできる。ピン体の長手方向に支持板を振動させる超音波振動子をさらに備えるようにしてもよい。振動部による支持板の振動方向を切り替えるための振動方向切り替え手段を更に備えることが望ましい。振動部による支持板の振動の振幅を可変する振幅可変部を更に備えることが望ましい。
【０００７】
実施例にかかる振動ヘアブラシでは、多数のピン体が使用者の肌面へ接触したか否かを検知する検知手段を更に備え、振動制御部は、検知手段によって、多数のピン体が肌面へ接触したことが検知された場合に前記振動部を駆動させるように構成することもできる。
実施例にかかる振動ヘアブラシは、防水構造であることが望ましい。振動部を駆動させるための蓄電手段を備えることが望ましい。
【発明の効果】
【０００８】
本発明によれば、頭皮に対して様々な方向から刺激を与えることが可能で、しかも高い周波数で振動させることも可能として、多様な効果が得られるようにした振動ヘアブラシを提供できる。
【図面の簡単な説明】
【０００９】
【図１】振動ヘアブラシ１の斜視図。
【図２】下筐体１２０を取り外した状態の筐体１０を背面側から見た図。
【図３】ブラシ駆動装置５０の斜視図。
【図４】ブラシ駆動装置５０の取り付けられ方を示す一部断面図。
【図５Ａ】電磁石ユニット５７の磁性を説明する概念図。
【図５Ｂ】電磁石ユニット５７の磁性を説明する概念図。
【図６Ａ】ブラシ駆動装置５０の動作を説明する概念図。
【図６Ｂ】ブラシ駆動装置５０の動作を説明する概念図。
【図６Ｃ】ブラシ駆動装置５０の動作を説明する概念図。
【図６Ｄ】ブラシ駆動装置５０の動作を説明する概念図。
【図６Ｅ】ブラシ駆動装置５０の動作を説明する概念図。
【図６Ｆ】ブラシ駆動装置５０の動作を説明する概念図。
【図７】ブラシ駆動装置２を示す一部断面図。
【図８Ａ】電磁石ユニット１５７の磁性を説明する概念図。
【図８Ｂ】電磁石ユニット１５７の磁性を説明する概念図。
【図９Ａ】ブラシ駆動装置１５０の動作を説明する概念図。
【図９Ｂ】ブラシ駆動装置１５０の動作を説明する概念図。
【図９Ｃ】ブラシ駆動装置１５０の動作を説明する概念図。
【図９Ｄ】ブラシ駆動装置１５０の動作を説明する概念図。
【図１０】変形例である振動ヘアブラシ３を一部示す概念図。
【図１１Ａ】ブラシ駆動装置２５０の動作を説明する概念図。
【図１１Ｂ】ブラシ駆動装置２５０の動作を説明する概念図。
【図１２Ａ】ブラシ駆動装置２５０の動作を説明する概念図。
【図１２Ｂ】ブラシ駆動装置２５０の動作を説明する概念図。
【図１３】振動ヘアブラシ４の斜視図。
【図１４】ブラシ駆動装置３５０の斜視図。
【図１５】ブラシ駆動装置３５０の取り付けられ方を示す一部断面図。
【発明を実施するための形態】
【００１０】
以下、本願発明の実施形態を図に基づき説明する。
［第１実施形態］
１．振動ヘアブラシ１の構成の説明
図１に示すように、この第１実施形態に係る振動ヘアブラシ１は、筐体１０、ブラシユニット２０、スイッチ３０を備える。
（筐体１０について）
筐体１０は、やや長尺で略扁平的な形状となるように、プラスチック材料を成形して作られる。筐体１０の底面には、商用電源と接続された電源ケーブルが嵌挿される充電端子部１０ｄが設けられている。筐体１０の側面には、パソコンなどから電源を供給されるためのＵＳＢ（Ｕｎｉｖｅｒｓａｌ  Ｓｅｒｉａｌ  Ｂｕｓ）端子部１０ｅが設けられている。
【００１１】
筐体１０は上筐体１１０及び下筐体１２０とから構成されている。上筐体１１０は筐体１０の正面を構成し、下筐体１２０は筐体１０の背面を構成する。上筐体１１０及び下筐体１２０は、それぞれネジ止めや、図示はしない爪とこの爪が嵌合する係止部などにより互いにロックされるはめ込み式の固定構造によってお互いが固定される。
上筐体１１０及び下筐体１２０は、内側にシーリング材１３１ｃ（例えば、ゴム部材や防水型の接着剤など）によってシールされており、防水性を備える。
充電端子部１０ｄ及びＵＳＢ端子部１０ｅはそれぞれ、防水ゴムを備える蓋体１３１ａ、１３１ｂを有する。蓋体１３１ａ、１３１ｂによって、充電端子部１０ｄ及びＵＳＢ端子部１０ｅから筐体１０内部へ水分が侵入することを防止できる。
以上のように構成された筐体１０は、長手方向に順にヘッド部１０ａ、中央部１０ｂ、握持部１０ｃに領域が別れている。
【００１２】
（ヘッド部１０ａについて）
ヘッド部１０ａには筐体１０内部から外側に向かってブラシユニット２０が振動可能に突設されるためのブラシ用開口１１２が設けられる。ブラシ用開口１１２の縁部には全辺に渡って伸縮性にすぐれる防塵・防水の為のゴム１３１ｄが設けられる。１３１ｄは、ブラシ用開口１１２に設けられたブラシユニット２０と、このブラシ用開口１１２との隙間に介在され、ブラシ用開口１１２から筐体１０内部に水分や埃などが入り込むことを防止する。
（中央部１０ｂについて）
中央部１０ｂは、ヘッド部１０ａ及び握持部１０ｃを接続する領域である。中央部１０ｂは、ヘッド部１０ａとの境界部から握持部１０ｃにむけて緩やかに下降する傾斜形状を備え、この傾斜形状部分の終端部から握持部１０ｃとの境界部は平坦な形状を備える。
【００１３】
中央部１０ｂの平坦な形状部にはスイッチ取り付け孔１１１が設けられる。このスイッチ取り付け孔１１１には、防水機能を持つ接着剤などによりスイッチ３０が取り付けられる。
（握持部１０ｃについて）
握持部１０ｃは使用者が把持する把持部である。したがって握持部１０ｃは使用者の手のひらにフィットするような形状に形成されることが望ましい。
握持部１０ｃは、ヘッド部１０ａよりも筐体１０の厚み方向の高さが低くなるように形成されている。この結果ヘッド部１０ａ、握持部１０ｃの陰影などを異ならせることが可能である。このようにヘッド部１０ａと握持部１０ｃに高低差を持たせることで、筐体１０の意匠性が高められる。図２に示すように筐体１０には、電源４０、ブラシ駆動装置５０、制御回路部６０が内蔵される。
【００１４】
（ブラシユニット２０について）
ブラシユニット２０は、ブラシ支持プレート２１ａに複数のピン体であるブラシ２１ｂを設けたものである。ブラシユニット２０は、使用者の毛髪を梳いたり、頭皮を刺激したりすることによってマッサージを施すためのものである。図２、図３に示すようにブラシユニット２０は、筐体１０内部でブラシ駆動装置５０と接続されており、ブラシ駆動装置５０によって加振され、ヘッド部１０ａのブラシ用開口１１２の縁部と接触することのない範囲で振動する。
【００１５】
（ブラシ支持プレート２１ａについて）
図３に示すようにブラシ支持プレート２１ａは一方の面にブラシ２１ｂが多数設けられ、この面の反対側の面には、ブラシ駆動装置５０の一部である板状磁石取付部５９などが固定される。ブラシ支持プレート２１ａは、支持板である。ブラシ支持プレート２１ａは、剛性を備え振動性の高い部材であることが望ましく、例えば、金属や、ＦＲＰ（Ｆｉｂｅｒ  Ｒｅｉｎｆｏｒｃｅｄ  Ｐｌａｓｔｉｃｓ）やセラミックなどを板状に形成したものである。ブラシ支持プレート２１ａの内部には、使用者の頭皮や頭髪とブラシ２１ｂとの接触を検知するための押圧センサや赤外線センサなどの種々のセンサ２２が埋設されている。
【００１６】
（ブラシ２１ｂについて）
ブラシ２１ｂは、使用者の毛髪や頭皮に直接触れ、毛髪を梳いたり、頭皮をマッサージしたりするための部材である。ブラシ２１ｂはブラシ支持プレート２１ａに植設される。
ブラシ２１ｂは、ブラシ支持プレート２１ａと同様の素材で形成したり、異なる素材で形成したりすることができる。この場合には、例えば、金属をピン状に加工して、同様に金属によって形成されたブラシ支持プレート２１ａに溶接することでブラシ２１ｂをブラシ支持プレート２１ａに設ける。ブラシ２１ｂを金属で形成する場合、使用者の毛髪や頭皮を傷つけないようにブラシ２１ｂの先端には球状のゴムを先端に設けたり、ブラシ２１ｂの大分部をゴムやプラスチックなどでコーティングしたりすることで、保護することが望ましい。
【００１７】
ブラシ２１ｂをプラスチックやゴムで形成し、金属製のブラシ支持プレート２１ａに設けるようにしてもよい。この場合には、例えば、ブラシ支持プレート２１ａと同形状のゴム製のプレートに同様にゴム製のブラシ２１ｂを配列させて、このゴム製のプレートとブラシ支持プレート２１ａとを接着剤などで貼り付けることで、ブラシユニット２０を構成する。また、金属製のブラシ支持プレート２１ａにブラシ２１ｂ植設用の多数の孔を設け、この孔にプラスチック製のブラシ２１ｂを嵌挿するようにしてもよい。
（電源４０について）
図２に示すように、電源４０は、筐体１０内において、握持部１０ｃに対応する箇所に取り付けられる。電源４０は、制御回路部６０、ブラシ駆動装置５０の駆動源である。
【００１８】
電源４０は、一次電池または二次電池などの種々の蓄電手段で構成できる。電源４０は、例えば単三電池等の乾電池や燃料電池、リチウムイオン電池、コンデンサなど種々の蓄電手段で構成できる。電源４０が充電可能な二次電池で構成されている場合には、充電端子部１０ｄを介して供給される商用電力や、ＵＳＢ端子部１０ｅを介してパソコンなどから供給された電力によって充電が行われる。なお、充電端子部１０ｄや、ＵＳＢ端子部１０ｅを介して供給される電力を制御回路部６０やブラシ駆動装置５０の駆動源とすることで、電源４０を備えないようにてもよい。電源４０を備えないような構成とすることで、ヘアブラシ装置１の軽量化が図れる。
【００１９】
（ブラシ駆動装置５０について）
図２、３に示すように、ブラシ駆動装置５０は、フレーム５１、電磁石ユニット５７、板状磁石５８、板状磁石取付部５９から構成される。ブラシ駆動装置５０は、ブラシユニット２０を筐体１０の長手方向の中心部を軸に回転振動させる振動部としての機能を備える加振装置である。
（フレーム５１について）
フレーム５１は、例えば、金属やプラスチックなどで形成された開口する枠体である。フレーム５１の開口には、ブラシ支持プレート２１ａが嵌着される。フレーム５１は、ブラシ支持プレート２１ａを保護する補強部材である。例えば、振動ヘアブラシ１を地面に落としてしまった時などにブラシ支持プレート２１ａの側面方向から加わる力からブラシ支持プレート２１ａを保護し、ブラシ支持プレート２１ａが破損してしまうことを防止する。フレーム５１は筐体１０の長手方向の中心部を軸に回転運動（振り子運動）する。この結果フレーム５１に嵌着されたブラシユニット２０が、フレーム５１と一体となって筐体１０の長手方向の中心部を軸に回転運動をすることになる。
【００２０】
（爪部５１ａについて）
図３、４に示すように、フレーム５１は、爪部５１ａを備える。爪部５１ａは、フレーム５１を筐体１０の長手方向の中心部を軸に回転運動させるための支点部であり、軸棒７０に回転可能に取り付けられる。爪部５１ａはフレーム５１に複数設けることができ、ここでは一例として爪部５１ａをフレーム５１の両端に設けている。
（軸棒７０について）
図４に示すように、軸棒７０は、筐体１０内部に爪部５１ａと対応するように設けられ、ここでは一例として上筐体１１０のブラシ用開口１１２の壁面から上筐体１１０の長さ方向に水平に延設されている。軸棒７０は、例えば金属で形成された棒状の部材である。
【００２１】
（電磁石ユニット５７について）
図２に示すように電磁石ユニット５７は、制御回路部６０と一対の板状磁石５８の間に配置される。電磁石ユニット５７は、制御回路部６０の制御によって電流が流されることにより、磁化する電磁石である。電磁石ユニット５７は、例えば、制御回路部６０の制御によって交番電流が流されることによって、交流電磁石として機能する。
図３に示すように電磁石ユニット５７は、一対のコイル５７ａ，５７ｂ、電磁用軟鉄５７ｃから主に構成される。
（電磁用軟鉄５７ｃについて）
電磁用軟鉄５７ｃは、純鉄または純鉄に近いものであり、飽和磁束密度が高く、透磁率が良く、さらに加工性が良いという特性を持つ。電磁用軟鉄５７ｃは、コ字状に形成されており、互いに向きあった延設部分にそれぞれコイル５７ａ，５７ｂが方向を揃えて巻かれる。
電磁用軟鉄５７ｃは、コイル５７ａ，５７ｂが巻かれた延設部の先端側が一対の板状磁石５８と対向するように支持部３５２ｂ筐体１０に配置される。
【００２２】
（一対のコイル５７ａ、５７ｂについて）
一対のコイル５７ａ，５７ｂは互いに同方向に巻かれており、図示はしない導線を介して制御回路部６０の制御により電流が流される。
（一対の板状磁石５８、一対の板状磁石取付部５９について）
図３に示すように、一対の板状磁石５８は、一対の板状磁石取付部５９を介してブラシ支持プレート２１ａに固定される。結果として、一対の板状磁石５８は、ブラシ支持プレート２１ａを介してフレーム５１に接続されている。
【００２３】
一対の板状磁石５８は、所謂棒磁石であり、中央部を境に長手方向にＮ極、Ｓ極に分極している。ここでは、一例として、Ｎ極が下方（すなわちブラシ支持プレート２１ａ側）、Ｓ極が上方になるように配置されている。一対の板状磁石５８はそれぞれ両端側が最も磁力が強くなるように形成されている。一対の板状磁石５８は電磁石ユニット５７の先端と対向するように支持プレート２１ａに固定される。
（制御回路部６０について）
制御回路部６０は、振動制御部及び振幅可変部である。図２に示すように制御回路部６０は、電子素子６１（例えば、コンデンサ、コイル、ＩＣチップ、メモリなど）により形成された電気回路である。制御回路部６０には、センサ回路、電源４０の充電回路、ブラシ駆動装置５０の駆動制御回路、昇圧回路、高周波発振回路、計時回路などが形成される。
【００２４】
このような各種の制御回路によって、制御回路部６０は、電源４０の充電や、使用者によるスイッチ３０の押下操作の検知に伴うブラシ駆動装置５０の駆動のＯＮ・ＯＦＦや、ブラシ２１ｂの頭皮への接触の検知などを制御する。例えば、制御回路部６０は、ブラシ２１ｂの頭皮や頭髪への接触をセンサ２２との信号の送受信によって検知し、ブラシ２１ｂが頭皮や頭髪に接触している場合にのみブラシ駆動装置５０の駆動をＯＮにする。
【００２５】
（電磁石ユニット５７の磁極及び回転動作について）
図５Ａ、５Ｂを用いて、電磁石ユニット５７の動作について詳細に説明する。
図５Ａに示すように、制御回路部６０に制御されて、コイル５７ａ，５７ｂにそれぞれ電流が流された場合、コイル５７ａが巻かれた電磁用軟鉄５７ｃの延設部の先端側にはＮ極の極性が現れる。なお、ここで「先端側」とは、板状磁石５８と対抗する側を指す（図３参照）。以下、この「先端側」と逆側の端部を「基部側」と称す。コイル５７ａが巻かれた電磁用軟鉄５７ｃの延設部の基部側にはＳ極の極性が現れる。
一方、コイル５７ｂが巻かれた電磁用軟鉄５７ｃの延設部の先端側にはＳ極の極性が現れる。コイル５７ｂが巻かれた電磁用軟鉄５７ｃの延設部の基部側にはＮ極の極性が現れる。
【００２６】
図５Ｂに示すように、制御回路部６０に制御されて、図５Ａとは逆向きの電流がコイル５７ａ，５７ｂに流された場合には、それぞれの極性が反転する。コイル５７ａが巻かれた電磁用軟鉄５７ｃの延設部の先端側にはＳ極の極性が現れる。コイル５７ａが巻かれた電磁用軟鉄５７ｃの延設部の基部側にはＮ極の極性が現れる。コイル５７ｂが巻かれた電磁用軟鉄５７ｃの延設部の先端側にはＮ極の極性が現れる。コイル５７ｂが巻かれた電磁用軟鉄５７ｃの延設部の基部側にはＳ極の極性が現れる。
このように電磁石ユニット５７に磁極性が現れると、電磁石ユニット５７と板状磁石５８それぞれの磁力によって図６Ａ〜Ｆに示すようにフレーム５１及びこのフレーム５１に接続されている板状磁石５８、ブラシユニット２０などが一体となって軸棒７０を回転軸として電磁石ユニット５７に対して傾く。
【００２７】
詳細には、図６Ａ、６Ｂに記載のように、コイル５７ａが巻かれた電磁用軟鉄５７ｃの延設部の先端側にＮ極が現れ、コイル５７ｂが巻かれた電磁用軟鉄５７ｃの延設部の先端側にＳ極が現れ場合には、まずコイル５７ｂが巻かれた電磁用軟鉄５７ｃの延設部の先端側のＳ極と、このＳ極側の対面の一方の板状磁石５８のＳ極との間で反発力が生まれる。一方、コイル５７ａが巻かれた電磁用軟鉄５７ｃの延設部の先端側にＮ極と、このＮ極側の対面の他方の板状磁石５８のＳ極との間には引力が生まれる。この結果として、図６Ｃに示すように、板状磁石５８およびこの板状磁石５８が接続されたフレーム５１の端部にそれぞれ上下方向の力が働くことになり、最終的にフレーム５１、板状磁石５８、ブラシユニット２０などが一体となって軸棒７０を回転軸として、電磁石ユニット５７に対して傾く（すなわち回転動作する）。
【００２８】
制御回路部６０が電磁石ユニット５７のコイル５７ａ、５７ｂに対して逆向きの電流を流した場合には図６Ｄ、６Ｅに示すように、電磁石ユニット５７の延設部の先端部のそれぞれの極性が反転する。この結果、図６Ｆに示すようにフレーム５１、板状磁石５８、ブラシユニット２０などが一体となって軸棒７０を回転軸として、電磁石ユニット５７に対して図６Ｃに示したフレーム５１の傾き方向とは逆側に傾くことになる。
制御回路部６０が電磁石ユニット５７のコイル５７ａ、５７ｂに対して連続して交番電流を流すことによって、フレーム５１、板状磁石５８、ブラシユニット２０などがこの傾き動作（すなわち往復運動）を繰りかえす。そして、フレーム５１に接続されたブラシユニット２０の往復運動によって、使用者の頭皮に対して、円弧の接線方向の刺激を与えることが可能となる。
【００２９】
このブラシユニット２０の円弧状の往復運動は、２０〜２０００回／秒の範囲であることが好ましく、１０１〜２０００回／秒の範囲であることが望ましい。すなわち、ブラシユニット２０は１０１Ｈｚ〜２ｋＨｚの周波数で振動することが望ましい。
制御回路部６０がコイル５７ａ、５７ｂに流れる電流の強弱を制御することによって、ブラシユニット２０の円弧の往復運動の強さ（すなわち振幅）を調整できる。
（振動ヘアブラシ１の利用方法）
以上説明した構成・動作を備える振動ヘアブラシ１では、使用者が図１に示す握持部１０ｃを握り、スイッチ３０を押下すると、このスイッチ３０の押下を制御部６０が検知し、ブラシ駆動装置５０を駆動させる。このことによりブラシ２１ｂによる毛髪のブラッシングとともに、１０１Ｈｚ〜２ｋＨｚの周波数のブラシユニット２０の振動による頭皮のマッサージを行える。
【００３０】
[第２実施形態]
（振動ヘアブラシ２について）
次に図７〜８Ｄを参照して、振動ヘアブラシ１におけるブラシユニット２０の振動方向を変更した本願の第２実施形態である振動ヘアブラシ２について説明する。なお、ここでは、第１実施形態の振動ヘアブラシ１と同様の構成や機能を備える要素には同一の符号をつけ、詳細な説明は省略する。
振動ヘアブラシ２は、ブラシ駆動装置５０と対応する構成・機能を有するブラシ駆動装置１５０を備える。このブラシ駆動装置１５０は、電磁石ユニット５７と対応する構成・機能を有する電磁石ユニット１５７を備える。
振動ヘアブラシ２は、図７の矢印Ａに示すように、フレーム５１が軸棒７０を摺動しつつブラシ２１ｂの水平方向に往復運動（振動）することによって、フレーム５１と一体となってブラシユニット２０も矢印Ａ方向に振動して、使用者の頭皮に対して、ブラシ２１ｂの水平方向の刺激を与えるものである。
【００３１】
この摺動は、フレーム５１の両端に設けられた爪部５１ａが軸棒７０に沿って摺動することで実現する。爪部５１ａによってフレーム５１及びこのフレーム５１に嵌着されたブラシ支持プレート２１ａが滑らかにかつ脱落することなく軸棒７０上を褶動できる。
（電磁石ユニット１５７について）
図８Ａに示すように、電磁石ユニット１５７は、一対のコイル５７ａ，５７ｂ、電磁用軟鉄５７ｃとそれぞれ対応する一対のコイル１５７ａ，１５７ｂ、電磁用軟鉄１５７ｃを備える。
【００３２】
電磁石ユニット１５７は、制御回路部６０に制御されることで、フレーム５１及びこのフレーム５１に嵌着されたブラシ支持プレート２１ａが軸棒７０上を褶動可能となるような磁極を発生させる。
例えば制御回路部６０の制御によって、電磁石ユニット１５７の一対の延設部のどちらも同様に、先端側にはＳ極、基部側にはＮ極の極性が現れる。一方制御回路部６０の制御によって、図８Ａとは逆向きの電流が流された場合、図８Ｂに示すように、一対の延設部にはどちらも同様に先端側にはＮ極、基部側にはＳ極の極性が現れる。
（ブラシ駆動装置１５０の動作について）
以上のような極性が現れる電磁石ユニット１５７を有するブラシ駆動装置１５０は、図９Ａ〜９Ｄのように動作する。図９Ａは、使用者によるスイッチ３０の押下操作を検知した制御回路部６０が電磁石ユニット１５７のコイル１５７ａ、１５７ｂに対して電流を流したことに対応して、電磁石ユニット１５７の延設部に極性が現れたことを示している。ここでは電磁石ユニット１５７の先端部側にそれぞれＮ極が現れている。
【００３３】
図９Ｂに示すように、電磁石ユニット１５７は先端部側が板状磁石５８のＳ極の面に対面するように配置されており、電磁石ユニット１５７の磁力により板状磁石５８が電磁石ユニット５７に引き付けられる（図９Ｂの矢印Ａ１参照）。板状磁石５８は、ここでは図示を省略した板状磁石取付部５９及びブラシ支持プレート２１ａによって、フレーム５１に接続されているので、結果としてフレーム５１が軸棒７０上を電磁石ユニット５７の方向にスライドする。
【００３４】
次に図９Ｃに示すように、制御回路部６０が電磁石ユニット１５７のコイル１５７ａ、１５７ｂに対して逆向きの電流を流したことに対応して、電磁石ユニット１５７の延設部の極性が反転する。ここでは、電磁石ユニット１５７の先端部は共にＮ極からＳ極に極性が変化することになる。
この結果、電磁石ユニット１５７と板状磁石５８は互いに反発し、結果としてフレーム５１が軸棒７０上を電磁石ユニット５７の逆方向にスライドする（図９Ｄの矢印Ａ２参照）。
以上のように制御回路部６０が電磁石ユニット１５７に呈して、図９Ａ〜図９Ｄに示した電流制御を繰り返すことによって、ブラシユニット２０がフレーム５１と一体的に図７の矢印Ａのようにブラシ２１ｂの水平方向に往復運動（すなわち振動）を繰りかえす。
このブラシユニット２０の往復運動によって使用者の頭皮にマッサージを施せる。このブラシユニット２０の往復運動は、２０〜２０００回／秒の範囲であることが好ましく、１０１〜２０００回／秒の範囲であることが望ましい。すなわち、ブラシユニット２０はブラシ２１ｂの水平方向に１０１Ｈｚ〜２ｋＨｚの周波数で振動することが望ましい。
制御回路部６０がコイル１５７ａ、１５７ｂに流れる電流の強弱を制御することによって、ブラシユニット２０の往復運動の強さ（すなわち振幅）を調整できる。
【００３５】
［変形例１］
（ヘアブラシ３について）
以上、本発明の第１、第２実施形態について説明したが、本発明は種々の変更・変形が可能である。例えば、コイル５７ａ、５７ｂに流れる電流の向きをスイッチ３０の押下操作によって種々変更するように構成してもよい。コイル５７ａ、５７ｂに流れる電流の向きを変更した結果として第１実施形態のブラシ駆動装置５０によるフレーム５１などの回転動作と、第２実施形態のブラシ駆動装置１５０によるフレーム５１などの往復動作をそれぞれ切り替えることができる。
以下、図１０〜１２Ｂを参照して、ブラシ駆動装置５０及びブラシ駆動装置１５０の動作を併せ持つブラシ駆動装置２５０を備える振動ヘアブラシ３について説明する。以下、第１、第２実施形態の振動ヘアブラシ１、２と対応する部分については、同一符号を付し詳細な説明は省略する。
【００３６】
図１０に示すように振動ヘアブラシ３は、ブラシ駆動装置２５０及び制御回路部２６０を備える。
ブラシ駆動装置２５０は、電磁石ユニット５７や電磁石ユニット１５７ｃと対応する構成・機能を有する電磁石ユニット２５７を備える。
電磁石ユニット２５７は、一対のコイル５７ａ，５７ｂ、電磁用軟鉄５７ｃや一対のコイル１５７ａ，１５７ｂ、電磁用軟鉄１５７ｃとそれぞれ対応する機能・構成を備える一対のコイル２５７ａ，２５７ｂ、電磁用軟鉄２５７ｃを備える。
制御回路部２６０は制御回路部６０と対応する構成・機能を有する。制御回路部２６０は、さらにスイッチ回路２６１を備える。スイッチ回路２６１は種々の電子素子やＩＣチップで構成される。スイッチ回路２６１には、接点Ｐ１〜Ｐ６が形成される。
【００３７】
接点Ｐ１は、接点Ｐ２または接点Ｐ４のどちらかとの接続を任意にＯＮ・ＯＦＦできる。接点Ｐ１は、コイル５７ａの一端側に電気的にかつ直接的に接続される。
接点Ｐ２は、接点Ｐ３または接点Ｐ６のどちらか一方との接続を任意にＯＮ・ＯＦＦできる。接点Ｐ２は、接点Ｐ１と接点Ｐ３を接続するための中継点として機能する。接点Ｐ２は、接点Ｐ３と接点Ｐ６を接続するための中継点としても機能する。
接点Ｐ３はコイル５７ｂの一端側に電気的にかつ直接的に接続される。
接点Ｐ４は、コイル５７ｂの他端側に電気的にかつ直接的に接続される。
接点Ｐ５は、接点Ｐ４と電気的に接続される。接点Ｐ５は、接点Ｐ４と接点Ｐ６とを接続するための中継点として機能する。
【００３８】
接点Ｐ６は、接点Ｐ２または接点Ｐ５のどちらか一方との接続を任意にＯＮ・ＯＦＦできる。
以上がスイッチ回路２６１の構成である。このようなスイッチ回路２６１を備える振動ヘアブラシ３では、例えば使用者がスイッチ３０を操作することによって、各接点間の接続関係が変更される。そして、変更された接点間の接続関係によってブラシ駆動装置２５０の動作が以下の第１の動作または第２の動作に変更される。
（ブラシ駆動装置２５０の第１の動作）
ブラシ駆動装置２５０の第１の動作は、図６Ａ〜６Ｆを用いて説明した第１実施形態の振動ヘアブラシ１と対応する動作である。すなわちブラシ駆動装置２５０の第１の動作は、フレーム５１が軸棒７０を軸として回転運動をするものである。
図１１Ａ、図１１Ｂに示すように、ブラシ駆動装置２５０の第１の動作時には、スイッチ回路２６１において、接点Ｐ１、接点Ｐ４が直列的に接続されている。そして接点Ｐ３、接点Ｐ２、接点Ｐ６が直列的に接続されている。
この時、制御回路部２６０の制御によって、コイル２５７ａ、２５７ｂには図１１Ａの矢印「＋Ｄ１」〜「＋Ｄ６」の順、または図１１Ｂの矢印「−Ｄ６」〜「−Ｄ１」の順に電流が流れる。この場合、例えば図１１Ａの「+Ｄ２」及び「+Ｄ４」に示すように、コイル２５７ａとコイル２５７ｂでは、それぞれ異なる向きの電流が流れる。したがって、電磁石ユニット２５７の延設部の一方の先端部にはＮ極が現れ、他方の先端部にはＳ極が現れる。
【００３９】
このように電磁石ユニット２５７の延設部にそれぞれ異なる磁極性が現れると、電磁石ユニット２５７と板状磁石５８それぞれの磁力によって図６Ｃ、図６Ｄに示す電磁石ユニット５７のようにフレーム５１及びこのフレーム５１に接続されている板状磁石５８、ブラシユニット２０などが軸棒７０を回転軸として電磁石ユニット２５７に対して傾く。
【００４０】
（ブラシ駆動装置２５０の第２の動作）
ブラシ駆動装置２５０の第２の動作は、図７〜９Ｄを用いて説明した振動ヘアブラシ２と同様である。すなわちブラシ駆動装置２５０の第２の動作は、フレーム５１が軸棒７０を摺動し、ブラシ２１ｂの水平方向に振動するものである。
ブラシ駆動装置２５０の第２の動作時には、図１２Ａ、図１２Ｂに示すように、スイッチ回路２６１において、接点Ｐ１、接点Ｐ２、接点Ｐ３が直列的に接続されている。そして接点Ｐ４、接点Ｐ５、接点Ｐ６が直列的に接続されている。この時の電流は図１２Ａの矢印「＋Ｃ１」〜「＋Ｃ６」の順、または図１２Ｂの矢印「−Ｃ６」〜「−Ｃ１」の順に流れる。この場合、例えば図１２Ａの「+Ｃ２」及び「+Ｃ４」に示すように、コイル２５７ａとコイル２５７ｂにながれる電流の向きは同じになる。したがって、電磁石ユニット２５７の延設部の先端側には共にＮ極またはＳ極が現れる。
【００４１】
このように電磁石ユニット２５７の延設部の先端側に共に同じ磁極性が現れると、電磁石ユニット２５７と板状磁石５８それぞれの磁力によって図９Ａ〜図９Ｄに示す電磁石ユニット１５７のように、フレーム５１及びこのフレーム５１に接続されている板状磁石５８、ブラシユニット２０などが軸棒７０上を摺動して、ブラシ２１ｂの水平方向に往復運動する。
【００４２】
以上説明したように、この振動ヘアブラシ３によれば、制御回路部２６０がスイッチ回路２６１を備えることにより、フレーム５１などが軸棒７０を回転軸にして振動する動作と、フレーム５１などが軸棒７０上を摺動することによりブラシ２１ｂの水平方向に振動する動作とを適宜切り替えることが可能となる。要するに容易にブラシユニット２０を多方向に振動させることができる。
なお、ここではフレーム５１などの振動動作を使用者がスイッチ３０を押下することで切り替えたが、軸棒７０を回転軸とする振動パターンと、ブラシ２１ｂの水平方向に振動するパターンとを制御回路部２６０が数秒毎に自動的に切り替えるようにしてもよい。この場合には、制御回路部２６０が備えるメモリに、あらかじめ動作の切り替え時間などを示す情報を記憶させておくことが望ましい。
【００４３】
[第３実施形態]
次に、図１３〜１５を用いて、本発明の第３実施形態にかかる振動ヘアブラシ４について説明する。以下の説明では、第１、第２実施形態、変形例１で説明した振動ヘアブラシ１〜３と対応する箇所には同一符号を付し、詳細な説明は省略する。
（振動ヘアブラシ４の構成の説明）
図１３に示すように、振動ヘアブラシ４は、振動ヘアブラシ１と同様の構成を備える。振動ヘアブラシ４は、ブラシ駆動装置５０、１５０、２５０のいずれかと対応する機能・構成を有するブラシ駆動装置３５０、制御回路部６０と対応する機能・構成を有する制御回路部３６０を備える。
【００４４】
（ブラシ駆動装置３５０について）
ブラシ駆動装置３５０は、ブラシユニット２０をブラシ２１ｂの長手方向及びまたはブラシ支持プレート２１ａの面方向に振動させる振動部としての機能を備える加振装置である。
図１３、１４に示すように、ブラシ駆動装置３５０は、フレーム５１、電磁石ユニット５７、板状磁石５８、板状磁石取付部５９を備える。ブラシ駆動装置３５０は、支持プレート３５２、支持プレート固定部材３５３、超音波振動子３５５をさらに備える。
（支持プレート３５２、支持プレート固定部材３５３）
支持プレート３５２は、例えば金属などで形成された剛性を備える板状の部材である。図１４に示すように、支持プレート３５２は、支持プレート固定部材３５３によって、ブラシ支持プレート２１ａの裏面（ブラシ２１ｂが突設されていない面）に一体的に固定される。この構成により制御回路部３６０の制御によって、支持プレート３５２は例えば、フレーム５１と一体的に軸棒７０を回転軸として回転運動する。
支持プレート３５２は、超音波振動子載置部３５２ａ、一対の支持部３５２ｂを備える。
【００４５】
（超音波振動子載置部３５２ａ、一対の支持部３５２ｂについて）
超音波振動子載置部３５２ａは、支持プレート３５２の大半を構成する部材であり、一対の支持部３５２ｂに対して幅広で、略円形状に形成されている。超音波振動子載置部３５２ａには、超音波振動子３５５が接着材などで固着される。超音波振動子載置部３５２ａは、超音波振動子３５５よりも若干大きく形成されることが望ましい。
一対の支持部３５２ｂは、超音波振動子載置部３５２ａからそれぞれ上筐体１１０の長手方向に沿って設けられている。詳細には、一対の支持部３５２ｂの一方は、超音波振動子載置部３５２ａの外周縁部から制御回路部６０の配置方向に延びており、一対の支持部３５２ｂの他方は、制御回路部６０の配置方向とは逆側の超音波振動子載置部３５２ａの外周縁部から上筐体１１０の先端部に向かって延びている。
【００４６】
図１５に示すように支持部３５２ｂの先端部は上筐体１１０に設けられたボールベアリング８０に接触している。この結果、プレート５１などが軸棒７０を回転軸として回転運動する際の抵抗や、ブラシ２１ｂの水平方向に振動する際の抵抗を軽減できる。
（超音波振動子３５５について）
超音波振動子３５５は、超音波振動子載置部３５２ａに載置される。超音波振動子３５５は、マイクロチップと圧電セラミックス（ＰＺＴ）とを接合してウェーハ状に形成したものである。超音波振動子３５５は、図示は省略した導線により制御回路部３６０と電気的に接続され、制御回路部３６０によって電圧印加が制御される。
超音波振動子３５５を構成する圧電セラミックスは、交番電圧の印加により振動し、一体に接合しているマイクロチップを図１５の矢印「Ｂ」のようにブラシ支持プレート２１ａなどをブラシ２１ｂの長手方向に振動させる。超音波振動子３５５の振動数は、２０ｋＨｚ〜１０ＭＨｚであることが好ましく、３０ｋＨＺ〜２ＭＨｚであることが望ましい。
【００４７】
（制御回路部３６０について）
図１３に示すように、制御回路部３６０は、電子素子６１（例えば、コンデンサ、コイル、ＩＣチップ、メモリなど）により形成された電気回路である。制御回路部３６０には、センサ回路、電源４０の充電回路、ブラシ駆動装置３５０の駆動制御回路、超音波振動子３５５駆動のための昇圧回路、高周波発振回路、計時回路などが形成される。
【００４８】
（制御回路部３６０の動作について）
制御回路部３６０は、電源４０の充電や、使用者によるスイッチ３０の押下操作の検知に伴うブラシ駆動装置３５０の駆動のＯＮ・ＯＦＦや、超音波振動子３５５の駆動のＯＮ・ＯＦＦや、ブラシ２１ｂの頭皮への接触の検知などを制御する。
例えば、制御回路部３６０は、ブラシ２１ｂの頭皮や頭髪への接触をセンサ２２との信号の送受信によって検知し、ブラシ２１ｂが頭皮や頭髪に接触している場合にのみブラシ駆動装置５０及びまたは超音波振動子３５５の駆動をＯＮにする。
例えば、制御回路部３６０は、ブラシ駆動装置３５０及び超音波振動子３５５の振動数と振動パターンを制御する。このブラシ駆動装置５０及び超音波振動子３５５の振動数と振動パターンを示す情報は電子素子６１の一つであるメモリに保持される。
制御回路部３６０が制御する振動パターンは、第１の振動パターンと第２の振動パターンに大別される。
【００４９】
「第１の振動パターン」は、ブラシ駆動装置３５０及び超音波振動子３５５のどちらか一方、または双方を駆動させることである。すなわち「第１の振動パターン」には、ブラシ駆動装置５０のみのＯＮ動作、超音波振動子３５５のみのＯＮ動作、ブラシ駆動装置５０及び超音波振動子３５５のＯＮ動作が含まれる。
「第１の振動パターン」の各動作は、使用者がスイッチ３０を操作することで適宜選択が可能である。また、スイッチ３０を操作することで、電子素子６１の一つであるメモリに「第１の振動パターン」の各動作の実行順序を登録し、所定の時間毎に各駆動を順次実行させることも可能である。
「第２の振動パターン」は、ブラシ駆動装置３５０及びまたは超音波振動子３５５をどのように駆動させるかを示す。すなわち「第２の振動パターン」には、ブラシ駆動装置３５０や超音波振動子３５５の振動回数（振動周波数）の変更、ブラシ駆動装置３５０や超音波振動子３５５の駆動時間の変更、ブラシ駆動装置３５０や超音波振動子３５５の振幅の強弱の変更が含まれる。
【００５０】
「第２の振動パターン」の一例は、ブラシ駆動装置３５０や超音波振動子３５５を数秒駆動させ、その後数秒停止させ、その後またブラシ駆動装置３５０や超音波振動子３５５を数秒駆動させることである。
「第２の振動パターン」は電子素子６１の一つであるメモリに予め登録されている。「第２の振動パターン」は、スイッチ３０を操作またはＵＳＢ端子部１０ｅを介して振動ヘアブラシ１をパソコンと接続することで、自由にカスタマイズ可能であることが望ましい。
【００５１】
（振動ヘアブラシ４の利用方法）
以上説明した構成・動作を備える振動ヘアブラシ４では、使用者が図１に示す握持部１０ｃを握り、スイッチ３０を押下すると、このスイッチ３０の押下を制御部３６０が検知し、ブラシ駆動装置３５０及びまたは超音波振動子３５５を駆動させる。ブラシ駆動装置３５０の駆動によりフレーム５１などが、１０１Ｈｚ〜２ｋＨｚの周波数の回転運動やブラシ２１ｂの水平方向の往復運動を繰り返す。このことによりブラシ２１ｂによる毛髪のブラッシングとともに、頭皮のマッサージを行える。さらに超音波振動子３５５によるブラシ２１ｂの長さ方向への振動による頭皮のマッサージも行える。頭皮ケアのための薬剤を頭皮に供給した際には、超音波振動子３５５の駆動によるブラシ２１ｂの長さ方向への振動によって、この薬剤の浸透を助長することが可能である。
【００５２】
［さらなる変形例］
本願発明にかかる振動ヘアブラシ１〜４はさらに種々の変形が可能である。
例えば、ブラシ駆動装置５０、１５０、２５０、３５０は、それぞれ回転軸にウェイトを偏心状態で固定した振動モータを備え、この振動モータの駆動によってブラシユニット２０を振動させるようにしてもよい。また、回転軸にウェイトを備えるものではなく、１つ以上の屈曲部を持つクランク部材を設けたモータによって、ブラシユニット２０を振動させるようにしてもよいし、ボイスコイルモータを備えることで、ブラシユニット２０を振動させるようにしてもよい。
【符号の説明】
【００５３】
１，２，３，４…振動ヘアブラシ、１０…筐体、１０ａ…ヘッド部、１０ｂ…握持部、１０ｃ…傾斜部、１０ｄ…充電端子部、１０ｅ…ＵＳＢ端子部、２０…ブラシユニット、２１ａ…ブラシ支持プレート、２１ｂ…ブラシ、２２…センサ、３０…スイッチ、４０，４０ａ…電源、５０，１５０，２５０，３５０…ブラシ駆動装置、５１…フレーム、５１ａ…爪部、５２…支持プレート３５２ａ…超音波振動子載置部、５２ｂ…支持部、５３…支持プレート固定部材、５５…超音波振動子、５７，１５７，２５７…電磁石ユニット、５７ｃ，１５７ｃ，２５７ｃ…電磁用軟鉄、５７ａ，５７ｂ，１５７ａ，１５７ｂ，２５７ａ，２５７ｂ…コイル、５７ｃ，１５７ｃ，２５７ｃ…電磁用軟鉄、５８…板状磁石、５９…板状磁石取付部、６０，２６０，３６０…制御回路部、６１…電子素子、７０…軸棒、８０…ボールベアリング、１１０…上筐体、１１１…スイッチ取り付け孔、１１２…ブラシ用開口、１２０…下筐体、１３１ａ…蓋体、１３１ｃ…シーリング材、１３１ｄ…ゴム、２６１…スイッチ回路、Ｐ１〜Ｐ６…接点。
【図１】
2013188250.tif 000003
【図２】
2013188250.tif 000004
【図３】
2013188250.tif 000005
【図４】
2013188250.tif 000006
【図５Ａ】
2013188250.tif 000007
【図５Ｂ】
2013188250.tif 000008
【図６Ａ】
2013188250.tif 000009
【図６Ｂ】
2013188250.tif 000010
【図６Ｃ】
2013188250.tif 000011
【図６Ｄ】
2013188250.tif 000012
【図６Ｅ】
2013188250.tif 000013
【図６Ｆ】
2013188250.tif 000014
【図７】
2013188250.tif 000015
【図８Ａ】
2013188250.tif 000016
【図８Ｂ】
2013188250.tif 000017
【図９Ａ】
2013188250.tif 000018
【図９Ｂ】
2013188250.tif 000019
【図９Ｃ】
2013188250.tif 000020
【図９Ｄ】
2013188250.tif 000021
【図１０】
2013188250.tif 000022
【図１１Ａ】
2013188250.tif 000023
【図１１Ｂ】
2013188250.tif 000024
【図１２Ａ】
2013188250.tif 000025
【図１２Ｂ】
2013188250.tif 000026
【図１３】
2013188250.tif 000027
【図１４】
2013188250.tif 000028
【図１５】
2013188250.tif 000029